(57)【要約】  カートン用の係止デバイスは、第1のパネル(12)内で画成された第1の部分(F)と、第2のパネル(14)内で画成された第2の部分(M)とを備える。第1の部分は、第1のパネルから打撃され、それに折り畳み可能に結合される、メス型タブ(22)を備える。第2の部分は、第2のパネルから打撃され、それに折り畳み可能に結合される、オス型タブ(20)を備える。オス型タブは、第1の非直線的な折り目(24)によって第2のパネルにヒンジで連結され、第1および第2のパネルを一緒に固定するように折り畳まれていたメス型タブを第1のパネルの平面から広げることによって形成される開口内に受け入れ可能である。オス型タブは、第1の非直線的な折り目(24)の周りでオス型タブの折り畳みを円滑にするための少なくとも1つの弱化線(28)を備える。メス型タブの縁(30)は、オス型タブに当たって支え、オス型タブを折り畳まれた、または係止された形態に維持する。
2017514766.tif 000002
【特許請求の範囲】
【請求項１】
カートン用の係止デバイスであって、
第1のパネル内に画成された第1の部分と、
第2のパネルに関連付けられている第2の部分とを備え、
前記第1の部分は、前記第1のパネルから打撃され、それに折り畳み可能に結合される、メス型タブを備え、前記メス型タブは前記第1のパネルの平面から折り畳まれていたのを広げられたときに前記第1のパネル内に開口を画成し、
前記第2の部分は、非直線的な折り目に沿って前記第2のパネルに折り畳み可能に結合されたオス型タブを備え、
前記オス型タブは、前記非直線的な折り目の周りで折り畳み可能で、前記開口内の支えられている位置に入り、前記メス型タブは前記オス型タブに寄り掛かることで前記オス型タブを前記支えられている位置に維持し、それによって、前記第1および第2のパネルが一緒に固定される係止デバイス。
【請求項２】
前記第2の部分は、前記非直線的な折り目の周りでの前記オス型タブの折り畳みを円滑にするため前記オス型タブ内に画成された少なくとも1つの弱化線をさらに備える請求項1に記載の係止デバイス。
【請求項３】
前記少なくとも1つの弱化線は、1つまたは複数の折り目を含む請求項2に記載の係止デバイス。
【請求項４】
前記1つまたは複数の折り目は、単一のカット、単一の切り込み、単一のハーフカット、ミシン目線、カット線、短いスリット線、ハーフカット線、切り込み線、およびこれらの任意の組合せからなる群から選択された線を含む請求項3に記載の係止デバイス。
【請求項５】
前記1つまたは複数の折り目は、2つまたはそれ以上の平行な折り目を含み、各々単一のカット、単一の切り込み、単一のハーフカット、ミシン目線、カット線、短いスリット線、ハーフカット線、切り込み線、およびこれらの任意の組合せからなる群から選択された線である請求項3に記載の係止デバイス。
【請求項６】
前記非直線的な折り目は、第1の直線的な折り目と第2の直線的な折り目とを含み、前記第1および第2の直線的な折り目はそれらの間に鈍角を画成するように配置構成される請求項1に記載の係止デバイス。
【請求項７】
前記非直線的な折り目は、前記第1の直線的な折り目と前記第2の直線的な折り目との間に配設されたカット線をさらに含む請求項6に記載の係止デバイス。
【請求項８】
前記非直線的な折り目は、第1の湾曲した折り目と第2の湾曲した折り目とを含み、前記第1および第2の湾曲した折り目はそれらの間に配設されたカット線とともに連続する弧を画成するように配置構成される請求項1に記載の係止デバイス。
【請求項９】
前記少なくとも1つの弱化線は、前記非直線的な折り目と交差する請求項7または8に記載の係止デバイス。
【請求項１０】
前記少なくとも1つの弱化線は、前記カット線と交差する請求項9に記載の係止デバイス。
【請求項１１】
前記少なくとも1つの弱化線は、互いに平行な関係となるように配設された2つまたはそれ以上の折り目を含む請求項1に記載の係止デバイス。
【請求項１２】
前記メス型タブは、前記オス型タブが前記支えられている位置にあるときに前記オス型タブに当接するように配設されている自由端を備え、前記メス型タブの前記自由端は前記非直線的な折り目を補完する形状であり、前記オス型タブを折り畳んで非平面状構造にするためのマンドレルを形成する請求項1に記載の係止デバイス。
【請求項１３】
前記メス型タブの前記自由端は、非直線的な形状である請求項12に記載の係止デバイス。
【請求項１４】
前記メス型タブの前記自由端は、凹状である請求項13に記載の係止デバイス。
【請求項１５】
前記メス型タブの前記自由端は、凸状である請求項13に記載の係止デバイス。
【請求項１６】
前記オス型タブは、前記第2のパネルから打撃される請求項1に記載の係止デバイス。
【請求項１７】
前記オス型タブは、前記第2のパネルの自由縁から延在する請求項1に記載の係止デバイス。
【請求項１８】
カートンを形成するためのブランクであって、
係止デバイスの第1の部分を含む第1のパネルと、
係止デバイスの第2の部分を含む第2のパネルとを備え、
前記第1の部分は、前記第1のパネルから打撃され、それに折り畳み可能に結合される、メス型タブを備え、前記メス型タブは前記第1のパネルの平面から折り畳まれていたのを広げられたときに開口を画成し、
前記第2の部分は、非直線的な折り目によって前記第2のパネルに折り畳み可能に結合されたオス型タブを備え、前記オス型タブは、前記非直線的な折り目の周りで折り畳み可能で、前記開口内の支えられている位置に入り、前記メス型タブは前記オス型タブに寄り掛かることで前記オス型タブを前記支えられている位置に維持し、それによって、前記第1および第2のパネルが一緒に固定されるブランク。
【請求項１９】
前記第2の部分は、前記非直線的な折り目の周りで前記オス型タブの折り畳みを円滑にするように前記オス型タブ内に画成された少なくとも1つの弱化線をさらに備える請求項18に記載のブランク。
【請求項２０】
前記少なくとも1つの弱化線は、1つまたは複数の折り目を含む請求項19に記載のブランク。
【発明の詳細な説明】
【技術分野】
【０００１】
本発明は、カートン(carton)用のパネル相互係止デバイス(panel interlocking device)に、およびカートンを形成するためのブランク(blank)に、より具体的には、ただし排他的でなく、1つまたは複数の物品を包装するためのカートンに関するものであり、カートンは補完的係止機構によって互いに固定されている少なくとも部分的に重なり合うパネルの対を有する。
【背景技術】
【０００２】
包装の分野において、しばしば、消費者に複数の一次産品容器を入れたパッケージを提供する必要がある。そのようなマルチパックは、出荷および流通のため、また販促情報の表示のために望ましい。コストおよび環境考慮事項として、そのようなカートンまたはキャリアは、できる限り少ない材料から形成され、それらを形成する材料の無駄な消費を可能な限り少なくする必要がある。別の考慮事項は、包装の強度、およびそれが大きな重量の物品を保持し、輸送するのに適しているかどうかである。
【発明の概要】
【発明が解決しようとする課題】
【０００３】
一態様において、本発明は、カートンの一対のパネルが係止されるか、または一緒に固定されるのを可能にする新しい係止構造を実現することによって包装の分野の改善をもたらそうとするものである。
【課題を解決するための手段】
【０００４】
本発明の第1の態様によれば、カートン用の係止デバイス(locking device)が実現される。係止デバイスは、
第1のパネル内に画成された第1の部分と、
第2のパネルに関連付けられている第2の部分とを備え、
第1の部分は、第1のパネルから打撃され、それに折り畳み可能に結合される、メス型タブ(female tab)を備え、メス型タブは第1のパネルの平面から折り畳まれていたのを広げられた(folded out of)ときに第1のパネル内に開口を画成し、
第2の部分は、非直線的な折り目(fold line)に沿って第2のパネルに折り畳み可能に結合されているオス型タブ(male tab)を備え、
オス型タブは、非直線的な折り目の周りで折り畳み可能で、開口内の支えられている位置(braced position)に入り、メス型タブはオス型タブに寄り掛かることでオス型タブを支えられている位置に維持し、それによって、第1および第2のパネルが一緒に固定される。
【０００５】
適宜、第2の部分は、非直線的な折り目の周りでオス型タブの折り畳みを円滑にするためにオス型タブ内に画成された少なくとも1つの弱化線(weakened line)をさらに備え得る。
【０００６】
適宜、少なくとも1つの弱化線は、1つまたは複数の折り目を含み得る。
【０００７】
適宜、1つまたは複数の折り目は、単一のカット(single cut)、単一の切り込み(single score)、単一のハーフカット(single half cut)、ミシン目線(line of perforations)、カット線(line of cuts)、短いスリット線(line of short slits)、ハーフカット線(line of half cuts)、切り込み線(line of scores)、およびこれらの任意の組合せからなる群から選択された線を含んでいてよい。
【０００８】
適宜、1つまたは複数の折り目は、2つまたはそれ以上の平行な折り目を含むものとしてよく、各々は、単一のカット、単一の切り込み、単一のハーフカット、ミシン目線、カット線、短いスリット線、ハーフカット線、切り込み線、およびこれらの任意の組合せからなる群から選択された線である。
【０００９】
適宜、非直線的な折り目は、第1の直線的な折り目と、第2の直線的な折り目とを含むものとしてよく、第2の直線的な折り目は第1の直線的な折り目との間で鈍角をなすように配置構成される。
【００１０】
適宜、非直線的折り目は、第1の直線的な折り目と第2の直線的な折り目との間に配設されたカット線をさらに含み得る。
【００１１】
適宜、非直線的な折り目は、間に配設されるカット線と連続弧を画成するように配置構成された第1および第2の湾曲した折り目を含み得る。
【００１２】
適宜、少なくとも1つの弱化線は、非直線的な折り目と交差してよい。
【００１３】
適宜、少なくとも1つの弱化線は、カット線と交差し得る。
【００１４】
適宜、少なくとも1つの弱化線は、互いに平行関係にあるように配設された2つまたはそれ以上の折り目を含み得る。
【００１５】
適宜、メス型タブは、オス型タブが支えられている位置にあるときにオス型タブに当接するように配設されている自由端を備え得る。メス型タブの自由端は、非直線的な折り目と補完し合う形状を有し、オス型タブを折り畳んで非平面状構造にするためのマンドレルを形成し得る。
【００１６】
適宜、メス型タブの自由端は、非直線的な形状であってよい。
【００１７】
適宜、メス型タブの自由端は、凹状であってよい。
【００１８】
適宜、メス型タブの自由端は、凸状であってよい。
【００１９】
適宜、オス型タブは、第2のパネルから打撃され得る。
【００２０】
適宜、オス型タブは、第2のパネルの自由縁から延在し得る。
【００２１】
本発明の第2の態様によれば、カートンを形成するためのブランクが実現される。ブランクは、
係止デバイスの第1の部分を含む第1のパネルと、
係止デバイスの第2の部分を含む第2のパネルとを備え、
第1の部分は、第1のパネルから打撃され、それに折り畳み可能に結合される、メス型タブを備え、メス型タブは第1のパネルの平面から折り畳まれていたのを広げられたときに開口を画成し、
第2の部分は、非直線的な折り目によって第2のパネルに折り畳み可能に結合されたオス型タブを備え、
オス型タブは、非直線的な折り目の周りで折り畳み可能で、開口内の支えられている位置に入り、メス型タブはオス型タブに寄り掛かることでオス型タブを支えられている位置に維持し、それによって、第1および第2のパネルが一緒に固定される。
【００２２】
適宜、第2の部分は、非直線的な折り目の周りでオス型タブの折り畳みを円滑にするためにオス型タブ内に画成された少なくとも1つの弱化線をさらに備え得る。
【００２３】
適宜、少なくとも1つの弱化線は、1つまたは複数の折り目を含み得る。
【００２４】
本出願の範囲内で、先行する段落、請求項、ならびに/または次の説明および図面において述べられている様々な態様、実施形態、例、特徴、および代替的形態は、独立して取りあげられ得るか、またはそれらの組合せで取りあげられ得ることが企図されている。たとえば、一実施形態に関連して説明されている特徴は、特徴の不適合がない限り、すべての実施形態に適用可能である。
【００２５】
本発明の例示的な実施形態は、付属の図面を参照しつつ、説明される。
【図面の簡単な説明】
【００２６】
【図１】本発明の一実施形態による補完的係止機構を有するブランクの平面図である。
【図２】図1のブランクの第2のパネルと係止係合する図1のブランクの第1のパネルを示している上から見た斜視図である。
【図３】図1のブランクの第2のパネルと係止係合する図1のブランクの第1のパネルを示している上から見た斜視図である。
【図４】図1のブランクの第2のパネルと係止係合する図1のブランクの第1のパネルの上から見た平面図である。
【図５】図1のブランクの第2のパネルと係止係合する図1のブランクの第1のパネルの下から見た平面図である。
【図６Ａ】本発明の第2の実施形態による補完的係止機構を有するブランクの平面図である。
【図６Ｂ】本発明の第3の実施形態による補完的係止機構を有するブランクの平面図である。
【図７Ａ】本発明の第4の実施形態による補完的係止機構を有するブランクの平面図である。
【図７Ｂ】本発明の第5の実施形態による補完的係止機構を有するブランクの平面図である。
【図８】本発明の第6の実施形態による補完的係止機構を有するブランクの平面図である。
【図９】本発明の第7の実施形態による補完的係止機構を有するブランクの平面図である。
【発明を実施するための形態】
【００２７】
係止デバイス、ブランク、およびカートンの特定の実施形態の詳細な説明が、ここで開示される。開示されている実施形態は、本発明のいくつかの態様を実装することができる方法の例にすぎず、本発明を具現化し得る方法のすべてを網羅して列挙していないことは理解されるであろう。本明細書で使用されているように、「例示的な」という言い回しは、例示、見本、モデル、またはパターンとして使用できる実施形態を指すために広義で使用されている。実際、本明細書で説明されている係止デバイス、ブランク、およびカートンは、様々な代替的形態で具現化され得ることが理解されよう。図は必ずしも縮尺通りになっておらず、いくつかの特徴は誇張されて、または最小化されて特定の構成要素の詳細を示している可能性がある。よく知られている構成要素、材料、または方法は、本開示をわかりにくくしないために、必ずしも詳細に説明しているとは限らない。本明細書で開示されている特定の構造および機能に関する詳細は、制限するものとして解釈されるべきでなく、単に請求項の基礎として、また本発明を様々な形で採用する当業者を教示するための代表的基礎として解釈されるべきである。
【００２８】
本明細書において詳述されている実施形態において、「カートン」および「キャリア」という用語は、本発明の様々な特徴を非限定的な形で例示することを目的として、缶および瓶などの、物品の係合、運送、および/または分注用の容器を指す。しかしながら、本発明の教示は、先細り形および/または円筒形であってもなくてもよい、様々な容器に適用され得ることが企図される。他の例示的な物品は、瓶(たとえば、金属製、ガラス製、またはプラスチック製の瓶)、缶(たとえば、アルミ缶)、スズ缶、袋、パケット、および同様のものを含む。
【００２９】
図1を参照すると、ブランク10が図示されている。ブランク10は、好適な基材のシートから形成される。本明細書で使用されているように、「好適な基材」という言い回しは、板紙、段ボール、ボール紙、プラスチック、これらの組合せ、および同様のものなどの折り畳み可能なシート材料のあらゆる形態を含むことは理解されるであろう。たとえば、以下でより詳しく説明されている補完的係止機構を有するカートンを実現するために、1つのまたは他の数のブランクが使用され得ることは認識されるべきである。
【００３０】
図1を参照すると、ブランク10は、第1のパネル12と第2のパネル14とを備える。図1に例示されている実施形態において、第1のパネル12および第2のパネル14は、別々のパネルとして図示されている。代替的実施形態において、第1のパネル12および第2のパネル14は、同じブランクの一部を形成するものとしてよく、1つまたは複数の追加のパネルによって互いにヒンジで接続され得る。
【００３１】
いくつかの実施形態では、第1のパネルおよび第2のパネルは、カートンの複合パネルを形成し得る。カートンは、頂壁、底壁、および対向する側壁を備える複数の壁を有するチューブ状構造を形成する複数のパネルを備える。第1のパネルおよび第2のパネルによって形成された複合パネルは、チューブ状構造の複数の壁のうちの1つを形成し得る。適宜、チューブ状構造の各端部は、1つまたは複数の端閉鎖パネルによって少なくとも部分的に閉鎖され得る。
【００３２】
第1のパネル12は、補完的係止機構の第1の部分Fを備える。第1の部分Fは、カット線23などの切断線によって画成されたメス型タブ22を備える。メス型タブ22は、第1のパネル12と一体形成される。メス型タブ22は、第1のパネル12から打撃される。メス型タブ22は、第1のパネル12にヒンジで結合される。図1には、メス型タブ22と第1のパネル12との間を折り目で接続するように示されていないけれども、直線的または非直線的な折り目のいずれかが適宜使用され、メス型タブ22を第1のパネル12にヒンジで接続し得る。メス型タブ22は、第1のパネル12の平面から折り畳まれていたのを広げることができ、第1のパネル12内に開口「A」(図2および図5を参照)を形成する。第1のパネル12の平面からずらされたときに、折り目は、カット線23の第1の端部とカット線23の第2の端部との間に延在して自然に形成される。メス型タブ22は、陥凹または凹状の先端または自由端30を備え、適宜、陥凹自由端30は、実質的にV字型である。自由端30は、第1の直線部分、第2の直線部分、および湾曲した、角度を付けられた、または他の何らかの真っ直ぐでない部分を備え、真っ直ぐでない部分は第1の直線部分と第2の直線部分との間に配設され、その間を接続する。第1の直線部分は、間に鈍角などのゼロでない角度を画成するように第2の直線部分に関して配置構成される。第1および第2の直線部分の配向は、第1および第2の直線部分が第1のパネル12の自由縁19の方へ発散するように真っ直ぐでない部分から延在するような向きである。一実施形態では、第1の直線部分と第2の直線部分との間の角度は、90度から180度の間であり、適宜、角度は約140度である。
【００３３】
第2のパネル14は、補完的係止機構の第2の部分Mを備える。第2の部分Mは、カット線21などの切断線によって画成されたオス型タブ20を備える。オス型タブ20は、実質的に矢尻形状をとる。オス型タブ20は、オス型タブ20を固定し、オス型タブ20がメス型タブ22のずれによって生じる第1のパネル12内の開口「A」を通して引き出されるのを防ぐか、または少なくとも抑制するように、第1のパネル12と係合させるための段部を形成するローブまたはウィングを備える。
【００３４】
メス型タブ22は、折り畳まれて第1のパネル12を通して挿入されたときにローブまたはウィングを収容するような形状である。メス型タブ22は、メス型タブ22が第1のパネル12の平面から折り畳まれていたのを広げられたときに開口「A」の最も広い点を画成し、それによりローブをその開口に自由に通すことを可能にする段部を備える。折り畳まれて適所に収められたときに、オス型タブ20のローブは、メス型タブ22の段部にすでに隣接している(第1のパネル12の平面からメス型タブ22がずれて出る前に)第1のパネル12の一部分と係合する。メス型タブ22は、オス型タブ20のローブを第1のパネル12の一部分の上の適所に保持する。
【００３５】
オス型タブ20は、第2のパネル14と一体形成される。オス型タブ20は、第2のパネル14を形成する材料から打撃されるが、代替的実施形態では、オス型タブは、第2のパネル14の自由縁25に連結し、そこから延在し得る。オス型タブ20は、非直線的な折り目24a/26/24bに沿って第2のパネル14にヒンジで結合される。オス型タブ20は、第2のパネル14の平面から外に出る非直線的な折り目の周りで折り畳み可能である。非直線的な折り目は、第1の直線的な折り目24aと、第2の直線的な折り目24bとを含む。第1の直線的な折り目24aは、第2の直線的な折り目24bに関して、それらの間で鈍角などの、非ゼロの角度をなすように配置構成される。一実施形態において、第1の直線的な折り目24aと第2の直線的な折り目24bとの間の角度は、90度から180度までであり、適宜、角度は約140度である。第1の直線的な折り目24aは、アーチ形の、角度を付けられた、または他の何らかの形の真っ直ぐでないカット線26によって第2の直線的な折り目24bに相互接続される、すなわち、カット線26は、第1の直線的な折り目24aと第2の直線的な折り目24bとの間に差し挟まれる。第1の直線的な折り目24aおよび第2の直線的な折り目24bは、真っ直ぐでないカット線26から、発散するようにオス型タブ20の近位端の方へ延在し、近位端は自由端27に対向する端部に配置されている。別の言い方をすると、第1の直線的な折り目24aおよび第2の直線的な折り目24bは、オス型タブ20の自由端から発散して離れるように延在する。直線的なカット線28などの弱化線は、カット線26の頂点(または中点)からオス型タブ20の自由端または先端(またはノーズ)27の方へ延在する。弱化線28は、オス型タブ20の自由端27の手前で止まる。カット線26の頂点または中点およびオス型タブ20の自由端27は、オス型タブ20の直線的な寸法、高さ、または長さを定める。いくつかの実施形態において、弱化線28は、直線的な寸法の約80%から85%、適宜82%にわたって延在する。いくつかの実施形態において、弱化線28は、オス型タブ20の自由端から約2mm離れた点で終端する。
【００３６】
メス型タブ22の自由端30は、オス型タブ20の非直線的な折り目24a、26、24bによって画成される形状を補完する形状である。
【００３７】
非直線的な折り目24a/24b/26によって画成される形状は、オス型タブが弱化線28の周りで折り畳まれて実質的にチャネル形状の非平面状構造になる傾向をもたらす。メス型タブ22の自由端30は、実質的にチャネル形状の構造に変化するようにオス型タブ20に働きかけるマンドレルまたはガイドを形成する。
【００３８】
次に図2から図5に例示されているような係止デバイスの配備に注目すると、係止デバイスは、直線の機械上で折り畳み動作を行うことによって活性化されるものとしてよく、その活性化を完了させるために係止デバイスを回転または反転させる必要がない。活性化プロセスは、以下で説明されているものに制限されず、特定の製造要件に従って変更され得る。
【００３９】
第1のパネル12および第2のパネル14には、少なくとも部分的な重なり合い関係を持たせる。適宜、第1のパネル12の第1の、または外側の表面は、第2のパネル14の第2の、または内側の表面と接触するように配設される。係止デバイスが、カートンを形成するパネル内に使用されるときに、第1のパネル12は、第2のパネル14が一番外側に置かれるように第2のパネル14の内部に配設され得る。カートン内で、第1のパネル12の第1の表面は、外側の表面であり、第2のパネル14の第2の表面は、内側の表面である。この方法で、配備された状態の係止デバイスは、カートンの内部容積内に配設される。
【００４０】
第1のパネル12および第2のパネル14は、メス型タブ22が少なくとも部分的に垂直方向に見当合わせしてオス型タブ20上に配設されるように配置構成される。
【００４１】
第2の部分Mのオス型タブ20は、第1のパネル12に押し通されるか、または突き抜ける。これは、オス型タブ20が非直線的な折り目24a/24b/26の周りで折り畳まれ、第2のパネル14の平面からずらされることを引き起こす。
【００４２】
オス型タブ20をずらすことで、オス型タブ20は開口「A」内に挿入されるようにでき、メス型タブ22は第1のパネル12に関して突かれて退けられる。メス型タブ22が突かれて退けられると、カット線23の対向する端部の間に延在する折り目35(図2および図3)が形成される。
【００４３】
オス型タブ20が弱化線28の周りで折り畳まれ、実質的にチャネル形状の構造に変化したときに、オス型タブ20の自由端とカット線28の遠位端との間のオス型タブ20の領域も折り畳まれ、オス型タブ20が非直線的な折り目24a/24b/26の周りに折り畳まれた結果として領域内に折り目が形成される。領域はリップ部または隆起部も形成し得る。適宜、領域は、メス型タブ22の上に部分的に変形するか、曲がるか、または折り畳まれる。これは、メス型タブ22が上方に移動する、または広がるのを制限するためのフランジを形成する。
【００４４】
メス型タブ22の自由端30は、弱化線28の周りでオス型タブ20を折り畳むのを助けてチャネル形状の構造を形成する形状を備える。
【００４５】
オス型タブ20のローブまたはウィングの各々は、折り畳まれた状態のときに第1のパネル12の一部の上に配設され、それにより、第1のパネル12および第2のパネル14を一緒に係止する。活性化プロセスにおいて、オス型タブ20は、メス型タブ22をクリアし、支えられている位置に来るまで折り畳まれ(図2〜図5に図示されている)、メス型タブ22はオス型タブ20に寄り掛かる。オス型タブ20がメス型タブ22によって支えられている位置において、オス型タブ20が移動する、または広がることは制限される。このようにして、第1のパネル12と第2のパネル14との間に安全な係止が形成される。
【００４６】
オス型タブ20が弱化線28の周りで折り畳まれることで、それ自体が意図しない広がり、押しつぶし、および変形に耐える、3次元チャネル形状構造に変化することができる。そのような係止デバイスは、第1のパネル12および第2のパネル14を引き離すことによる係脱に耐える。
【００４７】
次に図6Aから図9を参照すると、本開示の代替的実施形態が図示されている。第2、第3、およびそれ以降の例示されている実施形態において、類似の番号は、可能ならば、類似の部品を表すために使用されているが、接頭辞「100」、「200」、などを付け加えることで、これらの特徴が第2、第3、またはそれ以降の実施形態に属していることを指示している。代替的実施形態は、第1の実施形態と多くの共通の特徴を共有しており、したがって、図1から図5に例示されている第1の実施形態との相違点のみがより詳しく説明される。
【００４８】
図6Aを参照すると、第1のパネル112が図1から図5の第1の実施形態に関して実質的に上で説明されているような補完的係止機構の第1の部分Fを備える第2の実施形態が図示されている。第2の実施形態は、補完的係止機構の第2の部分Mを有する第2のパネル114も備える。第2の部分Mは、第1の直線的な折り目124aおよび第2の直線的な折り目124bならびに第1の折り目124aと第2の折り目124bとの間を接続する真っ直ぐでないカット線126から形成される非直線的な折り目によって第2のパネル114にヒンジで結合されたオス型タブ120を備える。オス型タブ120は、第2のパネル114から打撃される。オス型タブ120は、第2のパネル114の平面から外に出る非直線的な折り目124a/124b/126の周りで折り畳み可能である。
【００４９】
第1の直線的な折り目124aは、第2の直線的な折り目124bに関して、それらの間で鈍角などの、非ゼロの角度をなすように配置構成される。一実施形態において、第1の直線的な折り目124aと第2の直線的な折り目124bとの間の角度は、90度から180度までであり、適宜、角度は約140度である。第1の直線的な折り目124aは、アーチ形、角度を付けられた、または他の何らかの形状の真っ直ぐでないカット線126によって第2の直線的な折り目124bに相互接続される、すなわち、真っ直ぐでないカット線126は、第1の直線的な折り目124aと第2の直線的な折り目124bとの間に差し挟まれる。弱化線128は、アーチ形のカット線126の頂点または中点からオス型タブ120の自由端(またはノーズ)の方へ延在する。弱化線128は、オス型タブ120の自由端から隔てて並ぶ点で終端する。アーチ形のカット線126の頂点または中点およびオス型タブ120の自由端は、オス型タブの直線的な寸法、高さ、または長さを定める。いくつかの実施形態において、弱化線128は、直線的な寸法の約65%から80%、適宜67%にわたって延在する。いくつかの実施形態において、直線的なカット線128は、オス型タブ120の自由端から約3.6mm離れた点で終端する。
【００５０】
図6Bを参照すると、第2のパネル214が補完的係止機構の第2の部分Mを含む第3の実施形態が図示されている。第2の部分Mは、非直線的な折り目224a/224b/226によって第2のパネル214にヒンジで結合されたオス型タブ220を備える。
【００５１】
弱化線229は、アーチ形のカット線226の頂点または中点からずっと進んでオス型タブ220の自由端(またはノーズ)まで延在する。弱化線229は、オス型タブ220の自由縁で終端する。アーチ形のカット線226の頂点または中点とオス型タブ220の自由端との間の距離は、オス型タブ220の直線的な寸法、高さ、または長さを定める。いくつかの実施形態において、弱化線229は、直線的な寸法の約100%にわたって延在する。
【００５２】
第3の実施形態は、補完的係止機構の第1の部分Fを含む第1のパネル212を備える。第1の部分Fは、カット線223などの切断線によって画成されたメス型タブ222を備える。メス型タブ222は、第1のパネル212を形成する材料から打撃される。メス型タブ222は、折り目231によって第1のパネル212にヒンジで結合される。メス型タブ222は、第1のパネル212の平面から折り畳まれていたのを広げることができ、第1のパネル212内に開口を形成する。第1のパネル212の平面からずらされると、メス型タブ222は、折り目231の周りで折り畳まれる。折り目231は、本明細書で例示されているか、または説明されている実施形態のいずれかで使用され得ることは理解されるであろう。
【００５３】
図7Aを参照すると、第1のパネル312が図1から図5の第1の実施形態に関して実質的に上で説明されているような補完的係止機構の第1の部分Fを備える第4の実施形態が図示されている。第4の実施形態は、補完的係止機構の第2の部分Mを有する第2のパネル314も備える。第2の部分Mは、第1の直線的な折り目324a、第2の直線的な折り目324b、および真っ直ぐでないカット線326から形成される非直線的な折り目によって第2のパネル314にヒンジで結合されたオス型タブ320を備える。オス型タブ320は、第2のパネル314を形成する材料から打撃される。オス型タブ320は、第2のパネル314の平面から折り畳まれていたのを広げられ得る。
【００５４】
真っ直ぐでないカット線326の頂点または中点とオス型タブ320の自由端との間の距離は、オス型タブの直線的な寸法、高さ、または長さを定める。いくつかの実施形態において、弱化線328は、直線的な寸法の約50%から65%、適宜52%にわたって延在する。いくつかの実施形態では、弱化線328は、オス型タブ320の自由端から約5.2mm離れた点で終端する。
【００５５】
図7Bを参照すると、第1のパネル412が図1から図5の第1の実施形態に関して実質的に上で説明されているような補完的係止機構の第1の部分Fを備える第5の実施形態が図示されている。第5の実施形態は、補完的係止機構の第2の部分Mを有する第2のパネル414も備える。第2の部分Mは、非直線的な折り目によって第2のパネル414にヒンジで結合されたオス型タブ420を備える。
【００５６】
真っ直ぐでないカット線426の頂点または中点およびオス型タブ420の自由端は、オス型タブの直線的な寸法、高さ、または長さを定める。いくつかの実施形態において、直線的なカット線428は、直線的な寸法の約50%から65%、適宜52%にわたって延在する。いくつかの実施形態において、弱化線428は、オス型タブ420の自由端から約5.2mm離れた点で終端する。
【００５７】
オス型タブ420は、弱化線428の終点に隣接する点からオス型タブ420の自由端まで延在する弱化線429を含む。弱化線429は、オス型タブ420の縁まで延在する、すなわち、直線的な寸法の残り部分にわたってほぼ全体に延在する。弱化線429は、弱化線428と同一直線上にある。
【００５８】
図8を参照すると、第2のパネル514が補完的係止機構の第2の部分Mを含む第6の実施形態が図示されている。第2の部分Mは、第1の直線的な折り目524a、第2の直線的な折り目524b、および真っ直ぐでないカット線526を含む非直線的な折り目によって第2のパネル514にヒンジで結合されたオス型タブ520を備える。オス型タブ520は、第2のパネル514を形成する材料から打撃される。オス型タブ520は、第2のパネル514の平面から外に出る非直線的な折り目524a/524b/526の周りで折り畳み可能である。
【００５９】
第1の直線的な折り目524aは、第2の直線的な折り目524bに関して、それらの間で鈍角などの、非ゼロの角度をなすように配置構成される。しかしながら、前述の実施形態における直線的な折り目とは異なり、第1の直線的な折り目524aおよび第2の直線的な折り目524bは、真っ直ぐでないカット線526からオス型タブ520の自由端の方へ発散するように延在する。一実施形態において、第1の直線的な折り目524aと第2の直線的な折り目524bとの間の角度は、90度から180度までであり、適宜、角度は約140度である。第1の直線的な折り目524aは、前述の実施形態における対応する真っ直ぐでないカット線に関して反転されている真っ直ぐでないカット線526によって第2の直線的な折り目524bに相互接続される、すなわち、真っ直ぐでないカット線526は、第1の直線的な折り目524aと第2の直線的な折り目524bとの間に差し挟まれる。第1の直線的な折り目524a、第2の直線的な折り目524b、および真っ直ぐでないカット線526は、一般的に反転V字形を画成する。真っ直ぐでない折り目524a/524b/526によって画成される反転V字形は、図1の実施形態における非直線的な折り目によって画成されるV字形の鏡像である。
【００６０】
弱化線528、図8内の直線的なカット線は、オス型タブ520に用意される。弱化線528は、カット線526の中点からオス型タブ520の自由端まで延在する想像線に沿って延在するように配向される。いくつかの実施形態において、弱化線528は、オス型タブ520の自由端から(たとえば、約5.2mm)隔てて並ぶ点で終端する。いくつかの実施形態において、弱化線528は、カット線526の中点から(たとえば、約5.2mm)隔てて並ぶ点で終端する。
【００６１】
真っ直ぐでないカット線526の中点とオス型タブ520の自由端との間の距離は、想像線に沿ってオス型タブの直線的な寸法、高さ、または長さを定める。いくつかの実施形態において、弱化線528は、直線的な寸法の約30%から約60%、適宜約40%から約50%(たとえば、42%)にわたって延在する。
【００６２】
第6の実施形態は、補完的係止機構の第1の部分Fを含む第1のパネル512を備える。第1の部分Fは、カット線523などの切断線によって画成されたメス型タブ522を備える。メス型タブ522は、第1のパネル512と一体形成される。メス型タブ522は、第1のパネル512を形成する材料から打撃される。メス型タブ522は、第1のパネル512に折り畳み可能に結合される。メス型タブ522は、第1のパネル512の平面から折り畳まれていたのを広げることができ、第1のパネル512内に開口を形成する。第1のパネル512の平面から外にずらされると、メス型タブ522は折り畳まれて折り目を形成する。メス型タブ522は、自由端530を備える。自由端530は、反転V字形を画成する非直線的な折り目524a/524b/526を補完する形状である。自由縁530の直線的な部分は、自由端530の真っ直ぐでない部分から第1のパネル512の自由縁519から発散する形で離れるように延在する。別の言い方をすると、自由端530は、第1の実施形態におけるメス型タブ22の自由端30と異なり、出っ張っているか、または凸状である。このようにして、メス型タブ522は、弱化線528の周りでオス型タブ520の折り畳みを円滑にするためのガイドまたはマンドレルを形成する。オス型タブ520では実質的チャネル形状またはV字形形態をとることが理解されるであろう。この実施形態におけるオス型タブ520のV字形は、メス型タブ522から離れる方向に先端を向けているが、図1から図7Bの前述の実施形態では、オス型タブ20、120、220、320、420のチャネル形状またはV字形の先端はメス型タブ22、122、222、322、422の方またはその中を指している。
【００６３】
図9を参照すると、第2のパネル614が補完的係止機構の第2の部分Mを含む第7の実施形態が図示されている。第2の部分Mは、第1のアーチ形の折り目624a、第2のアーチ形の折り目624b、および真っ直ぐでないカット線626を含む非直線的な折り目によって第2のパネル614にヒンジで結合されたオス型タブ620を備える。オス型タブ620は、第2のパネル614を形成する材料から打撃される。オス型タブ620は、第2のパネル614の平面から外に出る非直線的なまたはアーチ形の折り目624a/624b/626の周りで折り畳み可能である。
【００６４】
第1の湾曲した折り目624aは、連続した弧の一部を形成するように第2の湾曲した折り目624bに関して配置構成される。第1の湾曲した折り目624aは、アーチ形の、U字形の、または他の何らかの形の真っ直ぐでないカット線626によって第2の湾曲した折り目624bに相互接続される。真っ直ぐでないカット線626は、第1の湾曲した折り目624aと第2の湾曲した折り目624bとの間に差し挟まれる。第1の湾曲した折り目624a、第2の湾曲した折り目624b、および真っ直ぐでないカット線626は、一緒になって、連続した弧または曲線、適宜U字形を画成するが、代替的実施形態では反転されたU字形が使用され得る。第1の湾曲した折り目624a、第2の湾曲した折り目624b、およびアーチ形のまたは真っ直ぐでないカット線626は、一緒になって、非直線的な、またはアーチ形の折り目624a/624b/626を構成する。第1および第2の湾曲した折り目は、真っ直ぐでないカット線626から、第2のパネル614の自由縁625から離れて発散する形で延在する。
【００６５】
第1の湾曲した折り目624a、第2の湾曲した折り目624b、および真っ直ぐでないカット線626は、一般的にU字形の形状を画成するが、図1の第1の実施形態の第1の直線的な折り目24a、第2の直線的な折り目24b、および真っ直ぐでないカット線26は、概してV字形の形状を画成する。
【００６６】
オス型タブ620内に第1の弱化線628が設けられる。第1の弱化線628は、真っ直ぐでないカット線626の中間点から延在するように配置構成され、アーチ形のカット線626から実質的に径方向外向きにオス型タブ620の自由端の方へ延在する。第1の弱化線628は、オス型タブ620の自由端から隔てて並ぶ点で終端する。真っ直ぐでないカット線626の頂点または中点とオス型タブ620の自由端との間の距離は、オス型タブ620の直線的な寸法、高さ、または長さを定める。いくつかの実施形態において、第1の弱化線628は、直線的な寸法の約50%から85%、適宜70%にわたって延在する。いくつかの実施形態において、弱化線628は、オス型タブ620の自由端から約2mmのところの点で終端する。
【００６７】
適宜、第1の弱化線628の第1の側のオス型タブ620内に第2の弱化線632aが設けられる。第2の弱化線632aは、第1の弱化線628から相隔てて並び、第1の弱化線628に実質的に平行に配置構成される。適宜、第2の弱化線632aは、第1の弱化線628よりも短い。
【００６８】
適宜、第2の直線的なカット線632aは、非直線的な折り目624a/624b/626から隔てて並ぶ点で終端する。
【００６９】
適宜、第1の弱化線628の第2の側のオス型タブ620内に第3の弱化線632bが設けられる。第3の弱化線632bは、第1の弱化線628から相隔てて並び、第1の弱化線628に実質的に平行に配置構成される。適宜、第3の弱化線632bは、第1の弱化線628よりも短い。適宜、第3の弱化線632bは、非直線的な折り目624a/624b/626から隔てて並ぶ点で終端する。
【００７０】
第2の弱化線632aおよび第3の弱化線632bは、オス型タブ620を折り畳むか、または他の何らかの形状に変形して湾曲した、またはアーチ形のチャネル状の形状にすることを円滑にする。いくつかの実施形態において、折り畳みを円滑にするために追加の弱化線がオス型タブ内に設けられ得る。
【００７１】
第7の実施形態は、補完的係止機構の第1の部分Fを含む第1のパネル612を備える。第1の部分Fは、カット線623などの切断線によって画成されたメス型タブ622を備える。メス型タブ622は、第1のパネル612と一体形成される。メス型タブ622は、第1のパネル612を形成する材料から打撃される。メス型タブ622は、第1のパネル612に折り畳み可能に結合される。メス型タブ622は、第1のパネル612の平面から折り畳まれていたのを広げることができ、第1のパネル612内に開口を形成する。第1のパネル612の平面から外にずらされると、メス型タブ622は折り畳まれて折り目を形成する。メス型タブ622は、陥凹または凹状の自由端630を備える。自由端630は、非直線的な折り目624a/624b/626を補完する形状である。メス型タブ622の陥凹自由端630は、オス型タブ620をチャネル形状構造に折り畳むか、または変形するのを円滑にするためのガイドまたはマンドレルを形成する。オス型タブ620は、実質的にU字形のチャネル状の形態をとるが、図1から図8の前述の実施形態では、オス型タブ20、120、220、320、420、520は、実質的にV字形のチャネル状形態をとることは理解されるであろう。
【００７２】
様々な変更が、本発明の範囲内で行われ得ることが理解されてよい。たとえば、パネル、脱着可能なセクション、および折れやすい接続部のサイズおよび形状は、異なるサイズまたは形状を有する物品を収容するように調整され得る。たとえば、いくつかの実施形態において、弱化線28、128、328は、それぞれのオス型タブ20、120、320の直線的な寸法の約50%から85%、または代替的に65%から85%、または代替的に50%から80%にわたって延在し得る。他の実施形態では、弱化線28、128、328は、それぞれのオス型タブ20、120、320の自由端から約2mmから約5.2mmの間の点で終端し得る。なおもさらなる実施形態において、弱化線28、128、328は、それぞれのオス型タブ20、120、320の自由端から約2mmから約3.6mmの間の点で終端し得る。他の実施形態では、弱化線28、128、328は、それぞれのオス型タブ20、120、320の自由端から約3.6mmから約5.2mmの間の点で終端し得る。
【００７３】
いくつかの実施形態において、オス型タブ内に追加の弱化線を設けて、角度を付けたまたはアーチ形の形状を形成するようにオス型タブを折り畳むか、または変形させる、すなわち、非平面状の構造または形状を有するようにオス型タブを折り畳むのを円滑にすることができる。
【００７４】
本明細書で使用されているように、「頂」、「底」、「前」、「背」、「後」、「端」、「側」、「内」、「外」、「内側」、「外側」、「上側」、および「下側」などの方向参照は、それぞれのパネルをそのような配向に制限せず、これらのパネルを互いに区別するためだけの働きをすることは認識されるであろう。
【００７５】
前述の実施形態において、オス型タブは、たとえばオス型タブがその非直線的な折り目の周りで折り畳まれるとオス型タブが反ってまたは他の何らかの変形をしてチャネル状の非平面状形態に変わるのを円滑にするカット線の形態を各々とる1つまたは複数の弱化線を備える。しかしながら、1つまたは複数の弱化線の他の形態も本発明とともに使用され得ることは理解されるであろう。より具体的には、1つの弱化線、または2つまたはそれ以上の弱化線の各々は、単一のカット、単一の切り込み、単一のハーフカット、ミシン目線、カット線、短いスリット線、ハーフカット線、切り込み線、これらの任意の組合せ、または同様のものの形態をとり得る。
【００７６】
いくつかの実施形態において、メス型タブは直線的な、または非直線的な折り目を備えるものとしてよく、その折り目の周りで、メス型タブはオス型タブによって突かれたときに第1のパネルの平面から折り畳まれていたのを広げられ得る。V字形またはアーチ形の折り目などの、非直線的な折り目を備えているとき、メス型タブも、メス型タブが反ってまたは他の何らかの変形をして3次元チャネル構造、または他の何らかの非平面状構造に変わるのを円滑にするための1つまたは複数の弱化線を備えるものとしてよく、それにより、メス型タブの構造的な強度が増す。
【００７７】
本明細書で使用されているように、「弱化線」という用語は、折り目または切断線を指す。
【００７８】
本明細書で使用されているような「折り目」という用語は、互いに関してシート材料のブランクの一部分の折り畳みを円滑にする、またはブランク上の最適なパネル折り畳み位置を他の何らかの方法で指示するように、板紙などの折り畳み可能なシート材料内にヒンジ線を画成する線を指す。折り目は、単一のカット、単一の切り込み、単一のハーフカット、ミシン目線、カット線、短いスリット線、ハーフカット線、切り込み線、これらの任意の組合せ、または同様のものによって形成され得る。
【００７９】
本明細書で使用されているような「切断線」という用語は、互いからのシート材料のブランクの一部分の切断を円滑にする、またはブランク上の最適な切断位置を他の何らかの方法で指示するように、板紙などの折り畳み可能なシート材料内に分離線を画成する線を指す。折れやすい線は、単一のカット、単一のハーフカット、ミシン目線、カット線、短いスリット線、ハーフカット線、これらの任意の組合せ、または同様のものによって形成され得る。
【００８０】
カット、切り込み、ハーフカット、スリット、ミシン目、または同様のものなどの折り目または切断線の要素は、所望の機能をもたらすように寸法を決められ、配置構成され得ることは理解されるべきである。たとえば、ミシン目線は、折り目および/または切断線を画成する脆弱度を持つように寸法を決められるか、設計され得る。ミシン目線は、折り畳みを円滑にし裂けることに耐える、折り畳みを円滑にしより大きな力で裂けるのを円滑にする、またはほとんど力がなくても裂けるのを円滑にするように設計され得る。
【符号の説明】
【００８１】
10  ブランク
12  第1のパネル
14  第2のパネル
19  自由縁
20  オス型タブ
22  メス型タブ
23  カット線
24a/26/24b  非直線的な折り目
25  自由縁
26  カット線
27  自由または先端(またはノーズ)
28  弱化線
30  自由端
35  折り目
112  第1のパネル
114  第2のパネル
120  オス型タブ
124a  第1の直線的な折り目
124b  第2の直線的な折り目
126  カット線
128  弱化線
212  第1のパネル
214  第2のパネル
220  オス型タブ
222  メス型タブ
223  カット線
224a/224b/226  非直線的な折り目
229  弱化線
231  折り目
312  第1のパネル
314  第2のパネル
320  オス型タブ
324a  第1の直線的な折り目
324b  第2の直線的な折り目
326  カット線
328  弱化線
412  第1のパネル
414  第2のパネル
420  オス型タブ
426  カット線
428  弱化線
429  弱化線
512  第1のパネル
514  第2のパネル
519  自由縁
520  オス型タブ
522  メス型タブ
523  カット線
524a/524b/526  非直線的な折り目
524a  第1の直線的な折り目
524b  第2の直線的な折り目
526  カット線
528  弱化線
530  自由端
612  第1のパネル
614  第2のパネル
620  オス型タブ
622  メス型タブ
623  カット線
624a/624b/626  非直線的な、またはアーチ形の折り目
624a  第1のアーチ形の折り目
624b  第2のアーチ形の折り目
626  カット線
628  弱化線
630  自由端
632a  第2の弱化線
632b  第3の弱化線
F  第1の部分
M  第2の部分
【図１】
2017514766.tif 000003
【図２】
2017514766.tif 000004
【図３】
2017514766.tif 000005
【図４】
2017514766.tif 000006
【図５】
2017514766.tif 000007
【図６Ａ】
2017514766.tif 000008
【図６Ｂ】
2017514766.tif 000009
【図７Ａ】
2017514766.tif 000010
【図７Ｂ】
2017514766.tif 000011
【図８】
2017514766.tif 000012
【図９】
2017514766.tif 000013
【国際調査報告】
2017514766.tif 000014
2017514766.tif 000015